(57)【要約】【課題】着用中にウエスト開口縁部が位置ずれすることなく、吸液構造体を安定的に身体にフィットさせることができる着用物品の提供。【解決手段】吸液構造体１２は、吸液構造体１２の前端縁５３ａと吸収性コア４３の前端縁４３ａとの間に位置する端部フラップ５３をさらに有する。前ウエスト域１３は、ウエスト開口縁１９ａから縦方向Ｙの内側へ延びて端部フラップ５３と重なる伸縮性シート３０と、少なくとも端部フラップ５３と重なって横方向Ｘへ延びる複数条のウエスト弾性体２７と、前記ウエスト開口縁と前記吸液構造体の前記前端縁との間に位置する第１域７１と、吸液構造体１２の前端縁５３ａの縦方向Ｙの内側であって、伸縮性シート３０とウエスト弾性体２７とを含む第２域７２とを有する。【選択図】図４
2018089519.tif 000002
【特許請求の範囲】
【請求項１】
縦方向及び横方向を有し、前ウエスト域と、後ウエスト域と、前記前後ウエスト域間に位置するクロッチ域と、前記クロッチ域から前記前後ウエスト域へ延びる、吸収性コアを有する吸液構造体と、ウエスト開口とを含む使い捨て着用物品において、
前記吸液構造体は、前記吸液構造体の前端縁と前記吸収性コアの前端縁との間に位置する端部フラップをさらに有し、
前記前ウエスト域は、ウエスト開口縁から前記縦方向の内側へ延びて前記端部フラップと重なる伸縮性シートと、
少なくとも前記端部フラップと重なって前記横方向へ延びる複数条のウエスト弾性体と、
前記ウエスト開口縁と前記吸液構造体の前記前端縁との間に位置する第１域と、前記吸液構造体の前記前端縁の前記縦方向の内側であって、前記伸縮性シートと前記ウエスト弾性体とを含む第２域とを有することを特徴とする着用物品。
【請求項２】
前記第２域の収縮力が前記第１域の収縮力よりも高い請求項１に記載の着用物品。
【請求項３】
前記伸縮性シートの内端縁が前記吸収性コアの前記前端縁よりも前記縦方向の外側に位置している請求項１又は２に記載の着用物品。
【請求項４】
前記伸縮性シートは、前記ウエスト弾性体の非肌対向面側に位置する請求項１−３のいずれかに記載の着用物品。
【請求項５】
前記伸縮性シートは、前記ウエスト弾性体の肌対向面側に位置する請求項１−３のいずれかに記載の着用物品。
【請求項６】
前記前ウエスト域は、前記ウエスト弾性体が配置された、前記吸収性コアと重なる第３域をさらに有し、前記第２域の収縮力が前記第１及び第３域のそれぞれの収縮力よりも高い請求項１−５のいずれかに記載の着用物品。
【請求項７】
前記前ウエスト域を形成する前ウエストパネルをさらに有し、前記吸液構造体は、前記前ウエストパネルの肌対向面側に配置されており、前記前ウエストパネルの非肌対向面側に位置する外層シートは、その一部を前記伸縮性シートの外端縁に沿って前記肌対向面側へ折り曲げて形成されたカバー部分を有し、前記カバー部分が前記端部フラップを被覆する請求項１−６のいずれかに記載の着用物品。
【請求項８】
前記前ウエスト域を形成する前ウエストパネルは、肌対向面側に位置する内層シートと、非肌対向面側に位置する外層シートと、前記内外層シート間に介在された中間シートとをさらに有し、前記伸縮性シートと前記中間シートとが前記内外層シート間において前記縦方向において離間対向して位置する請求項１−６のいずれかに記載の着用物品。
【請求項９】
前記伸縮性シートと前記中間シートとの離間部分に、前記ウエスト弾性体が配置される請求項８に記載の着用物品。
【発明の詳細な説明】
【技術分野】
【０００１】
本発明は、使い捨て着用物品に関する。
【背景技術】
【０００２】
横方向および縦方向を有し、前ウエスト域と、後ウエスト域と、前後ウエスト域間に位置するクロッチ域と、クロッチ域から前ウエスト域へ延びる、吸収性コアを有する吸液構造体と、ウエスト開口とを含む使い捨て着用物品は公知である。例えば、特許文献１には、前ウエスト域を画成するアウターシートが折返部を有し、アウターシートの肌対向面側に位置する部分と、非肌対向面側に位置する部分と、これらの部分の間に位置する複数条の糸状のウエスト弾性体とを有することが開示されている。
【先行技術文献】
【特許文献】
【０００３】
【特許文献１】特開２０１３−１３８７９５号公報
【発明の概要】
【発明が解決しようとする課題】
【０００４】
特許文献１に開示されている着用物品では、ウエスト開口縁側に糸状のウエスト弾性体が位置しているため、ウエスト弾性体が存在している個所がその線圧で着用者の肌に強く押し当てられている。着用者が乳幼児の場合には、腹部がぽっこりとして前方へ膨らんだ態様を有することから、ウエスト開口縁部がウエスト回りに伸長されたときにウエスト弾性体によって部分的に押し当てられて着用者の身体の形状に沿わず、かつ、身体の動きに順応せずに位置ずれするおそれがある。また、ウエスト弾性体の線圧によって圧迫感を与えたり、肌にゴム痕が付くおそれもある。一方、前ウエスト域を肌に優しくフィットさせるために、全体を伸縮性シートのみで弾性を付与した場合には、吸液構造体が着用者の動作によって上方へ移動したり、体液を吸収した後に自重によってずり下がるおそれがある。
【０００５】
本発明は、着用中にウエスト開口縁部が位置ずれすることなく、吸液構造体を安定的に身体にフィットさせることができる着用物品を提供することを課題とする。
【課題を解決するための手段】
【０００６】
本願発明は、縦方向及び横方向を有し、前ウエスト域と、後ウエスト域と、前記前後ウエスト域間に位置するクロッチ域と、前記クロッチ域から前記前後ウエスト域へ延びる、吸収性コアを有する吸液構造体と、ウエスト開口とを含む使い捨て着用物品に関する。
【０００７】
本願発明に係る着用物品は、前記吸液構造体は、前記吸液構造体の前端縁と前記吸収性コアの前端縁との間に位置する端部フラップをさらに有し、前記前ウエスト域は、ウエスト開口縁から前記縦方向の内側へ延びて前記端部フラップと重なる伸縮性シートと、少なくとも前記端部フラップと重なって前記横方向へ延びる複数条のウエスト弾性体と、前記ウエスト開口縁と前記吸液構造体の前記前端縁との間に位置する第１域と、前記吸液構造体の前記前端縁の前記縦方向の内側であって、前記伸縮性シートと前記ウエスト弾性体とを含む第２域とを有する。
【０００８】
本発明の好ましい実施態様の一つにおいて、前記第２域の収縮力が前記第１域の収縮力よりも高くなっている。第１域が乳幼児等のぽっこりとした腹部に優しくフィットして圧迫感を与えたり肌にゴム痕が付くことはなく、第２域において吸液構造体の端部フラップを安定して身体へフィットさせることができる。
【０００９】
本発明の他の好ましい実施態様の一つにおいて、前記伸縮性シートの内端縁が前記吸収性コアの前記前端縁よりも前記縦方向の外側に位置している。これによって、吸収性コアに伸縮性シートの収縮作用によってギャザーが形成されることはなく、また、資材コストを抑えることができる。
【００１０】
本発明に係る発明のさらに他の好ましい実施態様の一つにおいて、前記伸縮性シートは、前記ウエスト弾性体の非肌対向面側に位置する。かかる場合には、ウエスト弾性体の外形がおむつの外面に現れることはなく、下着のような柔らかな印象を与えることができる。
【００１１】
本発明のさらに他の好ましい実施態様の一つにおいて、前記伸縮性シートは、前記ウエスト弾性体の肌対向面側に位置する。かかる場合には、ウエスト弾性体の収縮力によって伸縮性シートを肌側へ押し当てることができるとともに、肌にウエスト弾性体の線圧によるゴム痕が付くのを抑制することができる。
【００１２】
本発明のさらに他の好ましい実施態様の一つにおいて、前記前ウエスト域は、前記ウエスト弾性体が配置された、前記吸収性コアと重なる第３域をさらに有し、前記第２域の収縮力が前記第１及び第３域のそれぞれの収縮力よりも高くなっている。前ウエスト域が第３域を有することによって、吸収性コアを肌へ押し当てて体液を効果的に吸収することができる。また、第２域が第１及び第３域に比して高い収縮力を有することによって、吸液構造体の端部フラップを安定的に身体へフィットさせることができる。
【００１３】
本発明のさらに他の好ましい実施態様の一つにおいて、前記前ウエスト域を形成する前ウエストパネルをさらに有し、前記吸液構造体は、前記前ウエストパネルの肌対向面側に配置されており、前記前ウエストパネルの非肌対向面側に位置する外層シートは、その一部を前記伸縮性シートの外端縁に沿って前記肌対向面側へ折り曲げて形成されたカバー部分を有し、前記カバー部分が前記端部フラップを被覆する。かかる場合には、ウエスト開口縁部のシート積層枚数が多くなって剛性が比較的に高くなり、着用者の動作によって吸液構造体が上方へ移動しても、ウエスト開口縁部が折れ曲がり難くなる。
【００１４】
本発明のさらに他の好ましい実施態様の一つにおいて、前記前ウエスト域を形成する前ウエストパネルは、肌対向面側に位置する内層シートと、非肌対向面側に位置する外層シートと、前記内外層シート間に介在された中間シートとをさらに有し、前記伸縮性シートと前記中間シートとが前記内外層シート間において前記縦方向において離間対向して位置する。これによって、シートどうしの重なり合いによる局所的な剛性変化を抑制することができる。
【００１５】
本発明のさらに他の好ましい実施態様の一つにおいて、前記伸縮性シートと前記中間シートとの離間部分に、前記ウエスト弾性体が配置される。かかる場合には、シートどうしの離間部分における剛性及び弾性の変化を抑制することができる。
【発明の効果】
【００１６】
本発明に係る使い捨て着用物品によれば、前ウエスト域は、ウエスト開口縁と吸液構造体の前端縁との間に位置し、伸縮性シートが位置する第１域によってその全域を身体の形状に沿って肌に優しくフィットさせることができ、着用中にウエスト開口縁部が位置ずれするのを抑制することができるとともに、圧迫感を与えたり、肌にゴム痕が付くことはない。また、端部フラップに伸縮性シートとウエスト弾性体とを含む第２域が位置することによって、吸液構造体がしっかりとホールドされて上方への移動が抑制され、おむつが位置ずれするのを防止することができる。
【図面の簡単な説明】
【００１７】
図面は、本開示に係る本発明の特定の実施の形態を示し、発明の不可欠な構成ばかりでなく、選択的及び好ましい実施の形態を含む。
【図１】本発明に係る使い捨て着用物品（おむつ）の斜視図。
【図２】各弾性体をおむつの縦方向及び横方向に伸長させた状態における、おむつの一部破断展開図。
【図３】前ウエスト域の拡大図。
【図４】図３に示すＩＶ−ＩＶ線に沿う断面図。
【図５】後ウエスト域の拡大図。
【図６】図５に示すＶＩ−ＶＩ線に沿う断面図。
【発明を実施するための形態】
【００１８】
下記の実施の形態は、以下の図面に示す使い捨て着用物品（使い捨ておむつ）に関し、発明の不可欠な構成ばかりではなく、選択的及び好ましい構成を含む。
【００１９】
図１〜図６を参照すると、本発明における使い捨て着用物品の一例である使い捨ておむつ１０は、互いに直交（交差）する横方向Ｘ、縦方向Ｙ、および厚さ方向Ｚと、肌対向面及び肌対向面の反対側に位置する非肌対向面とを有し、ウエスト回り方向へ延びる環状の弾性ウエストパネル１１と、弾性ウエストパネル１１の肌対向面側に取り付けられた吸液構造体（吸収シャーシ）１２と、前ウエスト域１３と、後ウエスト域１４と、前ウエスト域１３および後ウエスト域１４間に位置するクロッチ域１５とを含む。
【００２０】
弾性ウエストパネル１１は、ウエスト回り方向へ伸縮する弾性ベルト機能を有し、前ウエスト域１３を形成する前ウエストパネル１６と、後ウエスト域１４を形成する後ウエストパネル１７とを含む。
【００２１】
前ウエストパネル１６は、内端縁１６ａと、外端縁１６ｂと、内端縁１６ａから外端縁１６ｂへ延びる両側縁１６ｃ，１６ｄとによって画定された略長方形状を有する。後ウエストパネル１７は、内端縁１７ａと、外端縁１７ｂと、外端縁１７ｂから縦方向Ｙの内方へ延びる第１両側縁（後ウエスト域の両側縁）１７ｃ，１７ｄと、第１両側縁１７ｃ，１７ｄから縦方向の内方へ斜めに延びる第２両側縁１７ｅ，１７ｆとによって画定された略台形状を有する。
【００２２】
互いに対向する前ウエストパネル１６の両側縁部と後ウエストパネル１７の両側縁部とは、互いに重ね合わされ、縦方向Ｙへ断続的に並ぶサイドシーム１８によって連結され、ウエスト開口１９と一対のレッグ開口２０とが画定される。サイドシーム１８は、例えば、熱エンボス加工、ソニック等による各種の熱溶着手段によって形成される。
【００２３】
前後ウエストパネル１６，１７は、それぞれ、肌対向面側に位置する内層シート２１，２２と、非肌対向面側に位置する外層シート２３，２４とを含む。内外層シート２１〜２４は、質量１０〜３０ｇ／ｍ２のＳＭＳ（スパンボンド・メルトブローン・スパンボンド）繊維不織布、スパンボンド繊維不織布若しくはエアスルー繊維不織布、または、プラスチックシート、開孔プラスチックシート及びそれらのラミネートシートなどを用いることができる。
【００２４】
外層シート２３，２４は、非肌対向面に位置する主体部２３ａ，２４ａと、主体部２３ａ，２４ａから縦方向Ｙの外側へ延出して肌対向面の一部を画成する延出部２３ｂ，２４ｂと、主体部２３ａ，２４ａと延出部２３ｂ，２４ｂとの間に位置する折曲部２３ｃ，２４ｃとを有している。
【００２５】
前ウエストパネル１６は、厚さ方向Ｚにおいて、内層シート２１と外層シート２３の主体部２３ａとの間に位置する伸縮性シート３０を有する。伸縮性シート３０は、ウエスト開口縁１９ａからクロッチ域１５側へ延びている。
【００２６】
伸縮性シート３０には、例えば、質量が１０〜４０ｇ／ｍ２、より好ましくは、質量１５〜３０ｇ／ｍ２の弾性繊維（弾性フィラメント）から構成されたスパンボンド不織布、エアスルー不織布、ニードルパンチ不織布等、各種公知の製法によって製造された伸縮性の繊維不織布を用いることができる。弾性繊維は、熱可塑性エラストマーやゴムなどを原料とするものであって、特に熱可塑性エラストマーを原料として用いる場合には、通常の熱可塑性樹脂と同様に押出機を用いた溶融紡糸が可能であり、またそのようにして得られた繊維は熱融着させ易く、伸縮性の繊維不織布として好適である。伸縮性シート３０は、一方向（横方向）のみに弾性を示すものでもよく、二方向以上（横方向および縦方向）に弾性を示すものでもよい。伸縮性シート３０の横方向における伸長倍率は、１．２〜３．０倍であり、具体的な実施形態では２．５倍である。
【００２７】
前ウエスト域１３は、厚さ方向Ｚにおいて、内層シート２１と外層シート２３の主体部２３ａとの間に位置する中間シート３８を有する。後ウエストパネル１７は、厚さ方向Ｚにおいて、内層シート２２と外層シート２４の主体部２４ａとの間に位置する中間シート３９を有する。
【００２８】
中間シート３８，３９は、不透液性の繊維不織布、不透液性かつ透湿性のプラスチックフィルムまたはそれらのラミネートシートから形成される。中間シート３８，３９には、おむつ１０の外部から視認可能な装飾要素が配置されていてもよい。装飾要素は、各種公知の装飾模様、絵、文字、記号、または／および着色等であってもよい。
【００２９】
図４を参照すると、前ウエスト域１３の縦方向Ｙにおいて、伸縮性シート３０の内端縁３０ａと中間シート３８の外端縁３８ａとが離隔するように伸縮性シート３０および中間シート３８を配置してある。具体的には、縦方向Ｙにおいて、伸縮性シート３０の内端縁３０ａと、中間シート３８の外端縁３８ａとが、離隔寸法Ｌ２を有するように配置してある。離隔寸法Ｌ２は、好ましくは、例えば、１．０〜１５．０ｍｍであり、さらに好ましくは５．０〜１０．０ｍｍである。
【００３０】
前後ウエストパネル１６，１７の内層シート２１，２２と外層シート２３，２４との間には、糸状又はリボン状の複数条の前ウエスト弾性体（ウエスト弾性体）２７および後ウエスト弾性体２８が横方向Ｘへ伸縮可能にそれぞれ配設され、前後ウエストパネル１６，１７は少なくとも横方向Ｘへ弾性化されている。
【００３１】
前ウエスト弾性体２７は、伸縮性シート３０と重なるように横方向Ｘへ延びる複数条の前上方ウエスト弾性体２７Ａと、前上方ウエスト弾性体２７Ａの下方において伸縮性シート３０と重ならないように横方向へ延びる複数条の前下方ウエスト弾性体２７Ｂとを有する。後ウエスト弾性体２８は、ウエスト開口縁１９ａに沿って横方向Ｘへ延びる後上方ウエスト弾性体２８Ａと、後上方ウエスト弾性体２８Ａと内端縁１７ａとの間において横方向Ｘへ延びる後下方ウエスト弾性体２８Ｂとを有する。
【００３２】
図５を参照すると、後下方ウエスト弾性体２８Ｂは、後ウエスト域１４の中央部においてその一部が切断又は除去されており、後非伸縮域３７が画定される。このように、後非伸縮域３７が後ウエスト域１４の中央部に位置することから、後ウエストパネル１７の内面に位置する吸液構造体１２の中央部（吸収性コア４３の中央部）に後下方ウエスト弾性体２８Ｂの収縮力が直接作用されてギャザーが形成されるのを防止し、その収縮力が作用することによる吸収性能の低下を抑制することができる。
【００３３】
前ウエスト弾性体２７および後ウエスト弾性体２８としては、例えば、繊度が３５０〜１２４０ｄｔｅｘであって、１．５〜３．５倍に伸長された状態で配設された糸状又はリボンの弾性材料を用いることができる。前ウエスト弾性体２７および後ウエスト弾性体２８の繊度、伸長倍率、各弾性体間の離隔寸法（ピッチ）等の条件は適宜変更することが可能であるが、着用者の身体に安定的に着用されるために、前後上方ウエスト弾性体２７Ａ，２８Ａによる伸縮域の伸長力が、前後下方ウエスト弾性体２７Ｂ，２８Ｂによる伸縮域のそれよりも大きくなるように各弾性体の条件を設定することが好ましい。
【００３４】
図４を参照すると、前ウエスト域１３において、前上方ウエスト弾性体２７Ａのうちで最もウエスト開口縁１９ａ側に位置する前上方ウエスト弾性体２７ｃは、吸液構造体１２の前端縁５３ａと縦方向において離間対向して位置している。本実施形態では、前上方ウエスト弾性体２７Ａと、吸液構造体１２の前端縁５３ａとの間は、離隔寸法Ｌ１を有している。離隔寸法Ｌ１は、例えば、１．０〜２０．０ｍｍであり、好ましくは５．０〜１０．０ｍｍである。
【００３５】
図示例とは異なり、前端部フラップ５３に前上方ウエスト弾性体２７Ａを２条以上配置して、前上方ウエスト弾性体２７Ａを吸液構造体１２の前端縁５３ａ近傍にも配置してもよい。かかる場合には、離隔寸法Ｌ１が形成されないが、前端部フラップ５３全体の収縮力を高めることによって、吸液構造体１２の位置ずれを抑制することができる。
【００３６】
前ウエスト域１３の伸縮性シート３０と中間シート３８との間、すなわち、伸縮性シート３０の内端縁３０ａと中間シート３８の外端縁３８ａとの間に位置する離隔寸法Ｌ２を有する部分には、前上方ウエスト弾性体２７Ａのうちで最もクロッチ域１５側に位置する前上方ウエスト弾性体２７ｅが位置している。
【００３７】
前ウエスト域１３の内外層シート２１，２３と後ウエスト域１４の内外層シート２２，２４とは、それらの内面にホットメルト接着剤は塗布されておらず、サイドシーム１８による接合部分を除き、それぞれ、前ウエスト弾性体２７および後ウエスト弾性体２８に塗布されたホットメルト接着剤等の接着剤を介してのみ互いに接合される。ホットメルト接着剤は、前ウエスト弾性体２７および後ウエスト弾性体２８の全周において、内外層シート２１〜２４と対向する部分に塗布されていればよい。
【００３８】
図２及び４を参照すると、吸液構造体１２は、前後ウエストパネル１６，１７の肌対向面に取り付けられた前後端部１２Ａ，１２Ｂと、少なくともクロッチ域１５において縦方向Ｙへ延びる吸収性コア４３と、吸収性コア４３の肌対向面側に位置する親水性の繊維不織布から形成された透液性の身体側ライナ（トップシート）４４と、吸収性コア４３の非肌対向面側に位置する疎水性又は難透液性の繊維不織布から形成されたバックシート４５と、吸収性コア４３とバックシート４５との間に配置された、少なくとも吸収性コア４３のバックシート４５と対向する面全体を被覆する大きさを有する不透液性の防漏シート（防漏フィルム）４６とを含む。身体側ライナ４４とバックシート４５には、ＳＭＳ繊維不織布やスパンボンド不織布等の各種公知の繊維不織布を用いることができる。
【００３９】
吸収性コア４３は、所要量の超吸収性ポリマー粒子とフラッフパルプとを混合したものであって、おむつ１０を構成する内外層シート２１〜２４等のシート部材に比して剛性の高い半剛性を有する。また、吸収性コア４３は、縦方向Ｙにおける中央部が幅狭状を有するパネル形態をなすものであって、その全体がティッシュ等の液拡散性シートで包被されている。
【００４０】
身体側ライナ４４とバックシート４５とは、吸収性コア４３の外周縁から延出している。吸液構造体１２は、吸収性コア４３の両側縁から横方向の外側へ延出した身体側ライナ４４とバックシート４５とによって形成された一対のサイドフラップと、吸収性コア４３の前後端縁の縦方向の外側において横方向へ延びる前端部フラップ（端部フラップ）５３と後端部フラップ５４とを有する。
【００４１】
バックシート４５は、防漏シート４６の両側縁から横方向Ｘの外側に位置する両側部４７を有する。両側部４７は、防漏シート４６の両側縁に位置して縦方向Ｙへ延びる折曲ラインに沿って肌対向面側へ折曲され、身体側ライナ４４に固定される。両側部４７は、縦方向へ互いに離隔する両端固定部４８と、身体側ライナ４４の両側縁部および防漏シート４６の両側縁部に固定される近位縁部４９と、両端固定部の間において縦方向へ延び、かつ近位縁部と並行して縦方向へ延びる遠位縁部（自由縁部）５０とを有する。
【００４２】
遠位縁部５０は、バックシート４５の外側縁部を折り曲げて固定することによって形成されたスリーブ状をなし、該スリーブ内には縦方向へ延びる複数条のストリング状またはストランド状のカフ弾性体５１が伸長状態で収縮可能に固定される。遠位縁部５０は、横方向の外側へ倒伏した状態で縦方向の両端に位置する固定部を介して固定される。カフ弾性体５１が収縮することによって、遠位縁部５０が身体側ライナ４４から着用者の身体側へ離れて防漏カフを形成し、着用者の大腿部にフィットして排泄物の漏れを防止する。バックシート４５の両側部４７であって、防漏カフの横方向の外側には、縦方向Ｙへ延びる複数条のストリング状またはストランド状のレッグ弾性体５２が伸長状態で収縮可能に固定される。
【００４３】
図４及び図６を参照すると、外層シート２３，２４の延出部２３ｂ，２４ｂと吸液構造体１２とは、それらの内面に塗布されたホットメルト接着剤等の接着剤が塗布された接合部６１ａ，６１ｂによって固定される。吸液構造体１２と内層シート２１，２２とは、それらの内面に塗布されたホットメルト接着剤等の接着剤が塗布された固定部６２ａ，６２ｂによって固定される。内層シート２１，２２と中間シート３８，３９とは、それらの内面に塗布されたホットメルト接着剤等の接着剤が塗布された固定部６３ａ，６３ｂによって固定される。前ウエスト域１３において、伸縮性シート３０と外層シート２３の主体部２３ａとは、それらの内面に塗布されたホットメルト接着剤等の接着剤が塗布された固定部６４ａによって固定される。前ウエスト域のウエスト開口縁１９ａには、固定部６４ａが存在しない非固定域６５が位置する。
【００４４】
図３及び図４を参照すると、前ウエスト域１３は、ウエスト開口縁１９ａと吸液構造体１２の前端縁５３ａとの間に位置する第１域（第１弾性域）７１と、前端部フラップ５３に位置する、すなわち、前端縁５３ａの縦方向の内側であって、伸縮性シート３０と前上方ウエスト弾性体２７Ａとを含む第２域（第２弾性域）７２とを有する。第１域７１には伸縮性シート３０が位置し、第２域７２では伸縮性シート３０と前上方ウエスト弾性体２７Ａとが一部において重なり合っていることによって、第２域７２の収縮力が第１域７１のそれよりも高くなっている。このように、第２域７２の収縮力が第１域７１の収縮力よりも高くなる限りにおいて、第１域７１に糸状又はリボン状の弾性体が配置されていてもよい。
【００４５】
本実施形態にかかるおむつ１０においては、ウエスト開口縁部に伸縮性シート３０からなる比較的に収縮力の低い第１域７１が位置していることから、ウエスト開口縁部が乳幼児の前方へ膨らんだような態様を有する腹部の形状に沿ってウエスト回り方向へ伸長され、着用中の着用者の身体の動きによって位置ずれするのを防止することができる。また、前ウエスト弾性体２７が配置されていないことによって、その線圧によって、圧迫感を与えたり、肌にゴム痕が付いたりすることはない。また、前ウエスト域の前端部フラップ５３には、第１域７１よりも収縮力の高い第２域７２が位置することによってしっかりとホールドされ、着用者の下腹部に前端部フラップ５３が安定的にフィットされて、吸液構造体１２が着用者の動きによって上方へ移動したり、体液吸収後に自重によってずり下がることはない。
【００４６】
第２域７２は、吸液構造体１２の前端縁５３ａと前上方ウエスト弾性体２７Ａのうちで最もウエスト開口縁１９ａ側に位置する前上方ウエスト弾性体２７ｃとの間に位置する離間部分７４を有する。第２域７２は、前端部フラップ５３に位置していることによって、第１域７１よりもシートの積層枚数が多く、その剛性が第１域７１の剛性よりも高くなっている。また、第２域７２のうちで、離間部分７４には弾性体が配置されていないので、前上方ウエスト弾性体２７ｃ，２７ｅが配置された部分よりもその剛性が低くなっている。したがって、離間部分７４は、第１域７１と前上方ウエスト弾性体２７ｃ，２７ｅが配置された部分との間に急激な剛性変化を抑制するための緩衝域として位置しており、剛性の急激な変化による吸液構造体１２の前端縁５３ａ近傍における段差の形成が抑制され、該段差においてウエスト開口縁部が折れ曲がって身体から離間するのを抑制することができる。
【００４７】
伸縮性シート３０の内端縁３０ａは、吸収性コア４３の前端縁４３ａの縦方向の外側（上方）に位置している。伸縮性シート３０が吸収性コア４３と重なって位置していないことによって、伸縮性シート３０の収縮作用によって吸収性コア４３にその吸収性を低下させるようなギャザーが形成されるのを抑制することができる。また、伸縮性シート３０をウエスト開口縁部にのみ配置することによって、資材の無駄を省き、材料コストを抑えることができる。
【００４８】
伸縮性シート３０は、前ウエストパネル１６において、内層シート２１と外層シート２３との間に介在され、前上方ウエスト弾性体２７Ａは、伸縮性シート３０と内層シート２１との間に位置している。伸縮性シート３０が前上方ウエスト弾性体２７Ａの非肌対向面側に位置することによって、前上方ウエスト弾性体２７Ａの外形が前ウエストパネル１６の外面に現れることなく、下着のような外観を呈することができる。
【００４９】
一方、図示例とは異なり、伸縮性シート３０は、前上方ウエスト弾性体２７Ａの肌対向面側に位置していてもよい。かかる場合には、ウエスト弾性体の収縮力によって伸縮性シートを肌側へ押し当てることができるとともに、肌にウエスト弾性体の線圧によるゴム痕が付くのを抑制することができる。
【００５０】
吸液構造体１２は、前ウエストパネル１６の肌対向面側に位置し、外層シート２３が内層シート２１の外端縁に沿って肌対向面側へ折り曲げられることによって形成された延出部（カバー部分）２３ｂが、前端部フラップ５３を被覆し、内層シート２１及び前端部フラップ５３に接合部６１ａを介して固定されている。ウエスト開口縁部において外層シート２３が折り返されて、延出部２３ｂが吸液構造体１２の前端部フラップ５３と重なっていることによって、シートの積層枚数が多くなり、ウエスト開口縁部の剛性が比較的に高くなる。それによって、例えば、着用者が脚上げをして吸液構造体１２が上方へ移動しても、吸液構造体１２の前端縁５３ａ近傍においてウエスト開口縁部が折れ曲がって位置ずれするのを防止することができる。
【００５１】
前ウエストパネル１６の内外層シート２１，２３間には、中間シート３８と伸縮性シート３０とが縦方向において互いに離間対向して位置している。中間シート３８と伸縮性シート３０が互いに重なり合っていないことによって、それらが重なり合うことで生じる段差や急な剛性変化が生じるのを抑制することができる。
【００５２】
伸縮性シート３０と中間シート３８との離間された部分に、前上方ウエスト弾性体２７ｅが配置されている。両シート３０，３８の存在しない部分に前上方ウエスト弾性体２７ｅを配置することによって、該部分における段差や急な剛性変化を抑制し、前端部フラップ５３の浮き上りや変形を抑制することができる。前上方ウエスト弾性体２７ｅは、吸収性コア４３の前端縁４３ａの近傍に位置していることから、その収縮力によって前端縁４３ａ近傍を肌に押し当てることができる。
【００５３】
前ウエストパネル１６のウエスト開口縁１９ａには、各シート２１，２３，３０が互いに接合されていない非固定域６５が位置している。ウエスト開口縁１９ａに非固定域６５が位置することによって、固定部６４ａが位置する場合に比べて剛性が低くなっており、着用者が前屈してウエスト開口縁１９ａに肌が接触しても痛みを感じたりすることはない。
【００５４】
図４を参照すると、前ウエスト域１３は、第２域７２の下方に位置する、前下方ウエスト弾性体２７Ｂが配置された、横方向Ｘへ弾性を有する第３域（第３弾性域）７３をさらに有する。前ウエスト域１３が、第３域７３を有することによって、吸収性コア４３を肌側に押し当てて体液を効果的に吸収することができる。第２域７２の所定幅における収縮力は、第１域７１及び第３域７３それぞれの所定幅における収縮力よりも高くなっている。
【００５５】
前ウエスト域１３の横方向における所定幅の収縮力（伸長応力）は、具体的には、第１域７１が０．０１〜０．０４Ｎ／ｍｍ、第２域７２が０．０５〜０．１０Ｎ／ｍｍ、第３域７３が０．０１〜０．０４Ｎ／ｍｍである。さらに、具体的な実施形態では、例えば、第１域７１の幅（縦方向の長さ寸法）が２５ｍｍであって収縮力が０．３８９Ｎであるため単位長さ（幅）あたりの収縮力が０．０１６Ｎ／ｍｍであり、第２域７２の幅（縦方向の長さ寸法）が２０ｍｍであって収縮力が０．８９３Ｎであるため単位長さ（幅）あたりの収縮力が０．０４５Ｎ／ｍｍであり、第３域７３の幅（縦方向の長さ寸法）が６０ｍｍであって収縮力が１．３７８Ｎであるため単位長さ（幅）あたりの収縮力が０．０２２Ｎ／ｍｍである。
【００５６】
＜第１−３域の測定方法＞
第１〜第３域７１−７３の収縮力の測定には、（株）島津製作所製のオートグラフ型引張試験機（例えば、ＡＧ−１ＫＮ１）を用いた。まず、おむつ１０をその表面に各弾性体の収縮作用によるギャザーがなくなる程度にまで伸長させた状態で、前後ウエスト域１３，１４におけるサイドシーム１８の内側縁間の横方向Ｘの寸法を予め測定（初期寸法）した後に、おむつ１０のサイドシーム１８を含めた両側縁部をカッターで切断し、前ウエスト域１３側の部分から各域７１−７３を切り取って試料とした。
【００５７】
前ウエスト域１３から各域７１，７３を取り出すときには、吸液構造体１２の前端縁に沿ってカット（第１カットライン）してウエスト開口縁１９ａ側の部分を第１域７１、伸縮性シート３０の内端縁３０ａに沿ってさらにカット（第２カットライン）して切り出した部分を第２域７２、残余の部分を第３域７３とした。
【００５８】
次に、各試料の一方端を固定チャック、他方端を可動チャックに挟み、３００ｍｍ／ｍｉｎの速度で初期寸法の約９０％の大きさまで伸長させた後に反転させて、初期寸法の約７５％の大きさまで収縮させたときの引張荷重（Ｎ）を求めて、単位幅（ｍｍ）当たりの応力値（Ｎ／ｍｍ）に換算して収縮力とした。
【００５９】
前上方ウエスト弾性体２７Ａの前上方ウエスト弾性体２７ｃ，２７ｄの伸長倍率が、前下方ウエスト弾性体２７Ｂの伸長倍率よりも小さくなっていることが好ましい。前上方ウエスト弾性体２７ｃ，２７ｄは、半剛性の吸収性コア４３と重なっておらずその伸長性が阻害されることはないが、弾性体２７Ｂは吸収性コア４３と重なることによってその伸長性が低下している。したがって、各弾性体２７ｃ、２７ｄ，２７Ｂが同等の伸長倍率を有する場合には、その伸長度合いに差が生じるおそれがあるが、前上方ウエスト弾性体２７ｃ，２７ｄの伸長倍率を比較的に小さく設定することによって、各弾性体２７ｃ，２７ｄ，２７Ｂをバランスよく伸長させることができる。
【００６０】
また、前ウエスト域１３におけるウエスト開口縁１９ａ側の収縮力、すなわち、第１域７１の収縮力よりも、前後方向においてそれと対向する後ウエスト域１４におけるウエスト開口縁部の収縮力が大きくなるように、後上方ウエスト弾性体２８Ａの繊度、伸長倍率、各弾性体間の離隔寸法（ピッチ）等を適宜設定することが好ましい。このように、前ウエスト開口縁部側に比して後ウエスト開口縁部側の収縮力を高くすることによって、前ウエスト開口縁部が腹部を締め付けて圧迫感を与えることはなく、後ウエスト開口縁部によって着用者の背部に後ウエスト域１４を安定的にフィットさせることができる。
【００６１】
おむつ１０を構成する部材には、特に明記されていない限りにおいて、本明細書に記載されている材料のほかに、この種の分野において通常用いられている公知の材料を制限なく用いることができる。また、本明細書において使用されている「第１」、「第２」及び「第３」等の用語は、同様の要素、位置等を単に区別するために用いてある。
【符号の説明】
【００６２】
１０    使い捨ておむつ（使い捨て着用物品）
１２    吸液構造体
１３    前ウエスト域
１４    後ウエスト域
１５    クロッチ域
１９    ウエスト開口
１９ａ  ウエスト開口縁
２１    内層シート
２３    外層シート
２７    前ウエスト弾性体（ウエスト弾性体）
２７Ａ  前上方ウエスト弾性体
２７Ｂ  前下方ウエスト弾性体
３０    伸縮性シート
３０ａ  伸縮性シートの内端縁
３８    中間シート
４３    吸収性コア
４３ａ  前端縁
４４    身体側ライナ（内面シート）
４５    バックシート（外面シート）
５３    端部フラップ（前端部フラップ）
５３ａ  前端縁
７１    第１域
７２    第２域
７３    第３域
Ｘ      横方向
Ｙ      縦方向
【図１】
2018089519.tif 000003
【図２】
2018089519.tif 000004
【図３】
2018089519.tif 000005
【図４】
2018089519.tif 000006
【図５】
2018089519.tif 000007
【図６】
2018089519.tif 000008